(57)【要約】      （修正有）【課題】画面上の第１の表示領域に表示され、かつ選択されたオブジェクト情報の関連情報を画面上の第２の表示領域に表示させ、同一階層に属する他のオブジェクト情報の関連情報との表示の切り替えを可能とする監視装置を提供する。【解決手段】画面において第１の表示領域に表示される、階層を構成する複数のオブジェクト情報のうちから、選択された第１のオブジェクト情報を受け付けるオブジェクト受付部１１２と、当該第１のオブジェクト情報の関連情報を第２の表示領域に表示させ、オブジェクト受付部１１２が、当該第２の表示領域に関連情報を表示させている第１のオブジェクト情報と同一階層に属する第２のオブジェクト情報を受け付けた場合、当該第１のオブジェクト情報の関連情報と当該第２のオブジェクト情報の関連情報とを、当該第２の表示領域に並べてタブ化して表示させる関連情報表示制御部１２２とを備えた。【選択図】図１
2019016211.tif 000002
【特許請求の範囲】
【請求項１】
複数の表示領域を有する画面において第１の表示領域に表示される、階層を構成する複数のオブジェクト情報のうちから、選択された第１のオブジェクト情報を受け付けるオブジェクト受付部と、
前記オブジェクト受付部が受け付けた第１のオブジェクト情報に対応付けられた関連情報を前記画面における第２の表示領域に表示させ、前記オブジェクト受付部が、当該第２の表示領域に関連情報を表示させている第１のオブジェクト情報と同一階層に属する第２のオブジェクト情報を受け付けた場合、当該第１のオブジェクト情報に対応付けられた関連情報と当該第２のオブジェクト情報に対応付けられた関連情報とを、当該第２の表示領域に並べてタブ化して表示させる関連情報表示制御部
とを備えた監視装置。
【請求項２】
前記関連情報表示制御部は、
前記第１のオブジェクト情報に対応付けられた関連情報と前記第２のオブジェクト情報に対応付けられた関連情報とを、前記第１のオブジェクト情報および前記第２のオブジェクト情報が属する階層の上位から順にタブ化する
ことを特徴とする請求項１記載の監視装置。
【請求項３】
前記関連情報表示制御部は、
前記第１のオブジェクト情報に対応付けられた関連情報および前記第２のオブジェクト情報に対応付けられた関連情報について、下位の階層に属するオブジェクト情報に対応付けられた関連情報が、前記第２の表示領域上において、上位の階層に属するオブジェクト情報に対応付けられた関連情報よりも右側に表示されるようにタブ化する
ことを特徴とする請求項２記載の監視装置。
【請求項４】
オブジェクト受付部が、複数の表示領域を有する画面において第１の表示領域に表示される、階層を構成する複数のオブジェクト情報のうちから、選択された第１のオブジェクト情報を受け付けるステップと、
関連情報表示制御部が、前記オブジェクト受付部が受け付けた第１のオブジェクト情報に対応付けられた関連情報を前記画面における第２の表示領域に表示させ、前記オブジェクト受付部が、当該第２の表示領域に関連情報を表示させている第１のオブジェクト情報と同一階層に属する第２のオブジェクト情報を受け付けた場合、当該第１のオブジェクト情報に対応付けられた関連情報と当該第２のオブジェクト情報に対応付けられた関連情報とを、当該第２の表示領域に並べてタブ化して表示させるステップ
とを備えた監視方法。
【発明の詳細な説明】
【技術分野】
【０００１】
この発明は、画面上の複数の異なる領域に異なる情報を表示させる監視装置および監視方法に関するものである。
【背景技術】
【０００２】
従来、複数の表示領域に、関連する情報を連携して表示させる技術が知られている。
例えば、プロセス監視装置において、管理サイクルに含まれる各段階に対応付けられた複数のウィンドウについて、現在選択表示となっているアイコンと異なるアイコンに対応するウィンドウを選択する選択入力を受け付け、選択表示にするアイコンを順次切り替え、切り替え後、選択表示となっているアイコンに対応するトレンドウィンドウをアクティブに表示する技術が開示されている（特許文献１参照）。
一方、従来、建物または設備等を監視する監視装置においては、ユーザは、監視画面に、建物または設備等に設置された機器に関する情報を表示させて監視作業を行っている。そして、監視装置において、監視画面は複数の表示領域（例えば、第１の表示領域および第２の表示領域）を有し、階層を構成する、機器に関する情報を、第１の表示領域に表示させ、ユーザから、当該第１の表示領域に表示させた情報の選択を受け付けると、選択された情報の詳細な内容等を第２の表示領域に表示させる技術が知られている。
【先行技術文献】
【特許文献】
【０００３】
【特許文献１】特開２０１４−１５３８２７号公報
【発明の概要】
【発明が解決しようとする課題】
【０００４】
監視装置等については、ユーザの監視作業時に、同一階層に属する監視ポイントの詳細情報等を切り替えて表示させながら、監視作業をしたいという要望がある。
しかしながら、従来の監視装置で行われているような表示技術では、ユーザが選択して第２の表示領域に表示させることができる詳細な内容等は、ユーザが選択した最新のものに限られていた。
そのため、同一画面上でそれ以前に第２の表示領域に表示させていた、同一階層の、機器に関する情報の詳細な内容等を表示させた状態に戻ることができないという課題があった。
【０００５】
特許文献１に開示されている技術では、アイコンの選択入力が行われると、管理サイクルの順番に選択カーソルを移動する。すなわち、管理サイクルに含まれる各段階に対応付けられた複数のウィンドウが、段階順にアクティブに表示される。
例えば、従来の監視装置で行われているように、階層を構成する、機器に関する情報について、当該機器に関する情報の詳細な内容等を表示させる際、特許文献１に開示されているような表示方法を採用しても、下位の階層の情報の詳細な内容等を表示させた状態から、上位の階層の情報の、詳細な内容等を表示させた状態に戻すことができるようにはならないという課題があった。
【０００６】
この発明は、上記のような課題を解決するためになされたもので、画面上の第１の表示領域に表示された、階層を構成する複数のオブジェクト情報について、選択されたオブジェクト情報の関連情報を当該画面上の第２の表示領域に表示させるとともに、当該第２の表示領域において、当該選択されたオブジェクト情報と同一階層に属する他のオブジェクト情報の関連情報との表示の切り替えを可能とする監視装置および監視方法を提供することを目的とする。
【課題を解決するための手段】
【０００７】
この発明に係る監視装置は、複数の表示領域を有する画面において第１の表示領域に表示される、階層を構成する複数のオブジェクト情報のうちから、選択された第１のオブジェクト情報を受け付けるオブジェクト受付部と、オブジェクト受付部が受け付けた第１のオブジェクト情報に対応付けられた関連情報を前記画面における第２の表示領域に表示させ、オブジェクト受付部が、当該第２の表示領域に関連情報を表示させている第１のオブジェクト情報と同一階層に属する第２のオブジェクト情報を受け付けた場合、当該第１のオブジェクト情報に対応付けられた関連情報と当該第２のオブジェクト情報に対応付けられた関連情報とを、当該第２の表示領域に並べてタブ化して表示させる関連情報表示制御部とを備えたものである。
【発明の効果】
【０００８】
この発明によれば、画面上の第１の表示領域に表示された、階層を構成する複数のオブジェクト情報について、選択されたオブジェクト情報の関連情報を当該画面上の第２の表示領域に表示させるとともに、当該第２の表示領域において、当該選択されたオブジェクト情報と同一階層に属する他のオブジェクト情報の関連情報との表示の切り替えを可能とすることができる。
【図面の簡単な説明】
【０００９】
【図１】実施の形態１に係る監視装置の構成例を示す図である。
【図２】実施の形態１において階層情報記憶部が記憶する階層情報の一例を示す図である。
【図３】実施の形態１において、表示部が有する第１の表示領域と第２の表示領域のイメージを説明するための画面のイメージ図である。
【図４】実施の形態１の監視装置の動作を説明するためのフローチャートである。
【図５】実施の形態１において、ルート画面表示制御部が第１の表示領域にルート画面を表示させ、関連情報表示制御部が第２の表示領域にルート画面に対応付けられた関連情報を表示させた画面の一例を示す図である。
【図６】実施の形態１において、図４のステップＳＴ４０６で関連情報表示制御部が表示部に表示させる画面の一例を示す図である。
【図７】実施の形態１において、表示部の画面が図６に示すような画面である状態から、さらにオブジェクト情報を受け付けた場合に、表示部に表示される画面の一例を示す図である。
【発明を実施するための形態】
【００１０】
以下、この発明の実施の形態について図面を参照しながら詳細に説明する。
実施の形態１．
実施の形態１において、監視装置１は、施設内の設備、または、施設内に設置された機器に関する情報、および、当該設備または機器に関する情報に対応付けられた関連情報を、表示部１３（後述する）が有する複数の表示領域（第１の表示領域および第２の表示領域とする）にそれぞれ表示させる。第１の表示領域および第２の表示領域の詳細については後述する。
ユーザは、表示部１３を確認することで、施設内の設備、または、施設内に設置された機器の監視作業を行う。
実施の形態１では、施設内の設備、または、施設内に設置された機器を、監視ポイントともいい、当該監視ポイントから収集されるデータを、監視ポイントデータともいうものとする。
【００１１】
図１は、実施の形態１に係る監視装置１の構成例を示す図である。
監視装置１は、ソフトウェアに基づくＣＰＵを用いたプログラム処理によって実行される。
監視装置１は、図１に示すように、画面表示部１０を備える。
画面表示部１０は、受付部１１と、表示制御部１２と、表示部１３と、記憶部１４とを備える。
受付部１１は、ルート受付部１１１と、オブジェクト受付部１１２とを有する。
表示制御部１２は、ルート画面表示制御部１２１と、関連情報表示制御部１２２とを有する。
記憶部１４は、階層情報記憶部１４１と、データ記憶部１４２と、関連情報記憶部１４３とを有する。
【００１２】
階層情報記憶部１４１は、ユーザが監視ポイントの監視作業を行う際に表示部１３に表示させる監視ポイントに関する情報が、階層構造で定義された階層情報を記憶する。実施の形態１において、階層情報の階層を構成する、監視ポイントに関する情報を、オブジェクト情報というものとする。
オブジェクト情報とは、具体的には、例えば、監視ポイントの情報、または、複数の関連する監視ポイントをまとめて表示させるグラフの情報等である。
ユーザは、例えば、予め決められた監視グループ毎に、監視作業の際に表示部１３に表示させたいオブジェクト情報を、階層情報で定義し、階層情報記憶部１４１に記憶させておく。
監視グループとは、互いに関連する監視ポイントのグループであり、ユーザは、監視ポイントを監視する際に、当該監視グループ単位で、当該監視グループの属する監視ポイントの状態確認をまとめて行う。
【００１３】
ここで、図２は、実施の形態１において階層情報記憶部１４１が記憶する階層情報の一例を示す図である。
図２は、一例として、Ａビル冷却塔に設置された、各種流量を計測する複数の監視ポイントを監視グループとした場合に、「Ａビル冷却塔の流量」を示すオブジェクト情報をルートとして、Ａビル冷却塔に設置される、流量を計測する各監視ポイントに関する情報からなるオブジェクト情報が、階層構造で定義された階層情報を示している。
具体的には、図２では、「Ａビル冷却塔の流量」の直下に、第１階層のオブジェクト情報として、監視ポイントＡ、監視ポイントＢ、および、監視ポイントＣ〜Ｅのチャートが定義され、監視ポイントＣ〜Ｅのチャートの直下に、第２階層のオブジェクト情報として、監視ポイントＣ、監視ポイントＤ、および、監視ポイントＥが定義されている。
【００１４】
なお、図２に示す階層情報は一例に過ぎず、階層情報は、ユーザが監視作業を行う際に、表示部１３に表示させたいオブジェクト情報が、適宜、階層構造で定義されるようになっていればよい。
【００１５】
データ記憶部１４２は、監視ポイントと、当該監視ポイントから収集された監視ポイントデータとを対応付けて記憶する。
具体的には、例えば、監視装置１のデータ収集部（図示省略）が、予め決められた周期で、監視ポイントから、当該監視ポイントで収集された監視ポイントデータを取得し、データ記憶部１４２に記憶させる。
【００１６】
関連情報記憶部１４３は、階層情報記憶部１４１が記憶する階層情報で定義された各オブジェクト情報に対応付けられた関連情報を記憶する。
関連情報とは、例えば、オブジェクト情報の詳細を示す情報、または、オブジェクト情報と関連する情報を示す情報等である。各オブジェクト情報に、どのような関連情報を対応付けるかは、予めユーザが設定し、関連情報記憶部１４３に記憶させておくものとする。
【００１７】
なお、階層情報記憶部１４１に記憶されている階層情報を構成するオブジェクト情報と、関連情報記憶部１４３に記憶されている関連情報とは紐付けられており、関連情報が、どのオブジェクト情報に対応付けられているものなのかが特定できるようになっている。
具体的には、例えば、オブジェクト情報と、当該オブジェクト情報に対応付ける関連情報とに、予め決められた一意の管理番号が付与されるようにしておき、当該管理番号によって、関連情報が、どのオブジェクト情報に対応付けられているものなのかが特定できるようになっている。
【００１８】
また、実施の形態１では、図１に示すように、記憶部１４は、画面表示部１０に備えられるものとしたが、これに限らず、例えば、記憶部１４は、監視装置１に備えられるようにしてもよいし、監視装置１の外部の、画面表示部１０が参照可能な場所に備えられるようにしてもよい。
【００１９】
受付部１１は、表示部１３に各種情報を受け付ける。
受付部１１のルート受付部１１１は、表示部１３にオブジェクト情報を表示させる監視グループの情報を受け付ける。
具体的には、例えば、ユーザは、マウスまたはキーボード等の入力装置（図示省略）を操作し、表示部１３に表示されたメニュー画面から、所望の監視グループを選択する。ルート受付部１１１は、ユーザによって選択された監視グループの情報を受け付ける。
ルート受付部１１１は、受け付けた監視グループの情報を、表示制御部１２に出力する。
【００２０】
受付部１１のオブジェクト受付部１１２は、第１の表示領域に表示された複数のオブジェクト情報のうちから、１つのオブジェクト情報を受け付ける。
具体的には、例えば、ユーザは、入力装置を操作し、第１の表示領域に表示された複数のオブジェクト情報のうち、所望のオブジェクト情報を選択する。オブジェクト受付部１１２は、ユーザによって選択されたオブジェクト情報を受け付ける。
オブジェクト受付部１１２は、受け付けたオブジェクト情報を、表示制御部１２に出力する。
【００２１】
表示制御部１２は、受付部１１から出力された情報に基づき、記憶部１４を参照し、各種情報を表示部１３に表示させる。
表示制御部１２のルート画面表示制御部１２１は、受付部１１のルート受付部１１１が受け付けた監視グループの情報に基づき、表示部１３に、該当の監視グループのルート画面を表示させる。ルート画面の詳細については後述する。
【００２２】
表示制御部１２の関連情報表示制御部１２２は、受付部１１のオブジェクト受付部１１２が受け付けたオブジェクト情報に基づき、該当のオブジェクト情報に対応付けられた関連情報を、表示部１３が表示している画面における第２の表示領域に表示させる。
【００２３】
表示部１３は、例えば、ディスプレイ等の表示装置であり、表示制御部１２の制御に基づき、各種情報を表示する。
表示部１３は、第１の表示領域と第２の表示領域を有する。
ここで、図３は、実施の形態１において、表示部１３が有する第１の表示領域３０１と第２の表示領域３０２のイメージを説明するための画面のイメージ図である。
実施の形態１において、第１の表示領域３０１にはオブジェクト情報が表示され、第２の表示領域３０２にはオブジェクト情報に対応付けられた関連情報が表示される（詳細は後述する）。
なお、図３に示すイメージは一例に過ぎず、第１の表示領域３０１および第２の表示領域３０２の、画面上の範囲および位置は、適宜設定可能である。
【００２４】
次に、実施の形態１の監視装置１の動作について説明する。
図４は、実施の形態１の監視装置１の動作を説明するためのフローチャートである。
なお、以下の説明において、階層情報記憶部１４１には、図２で示したような階層情報が記憶されているものとする。
【００２５】
ユーザは、監視作業を行う際、まず、入力装置を操作し、監視作業を行いたい監視グループを選択するためのメニュー画面を呼び出す。具体的には、例えば、ユーザは、表示部１３に表示された「メニュー画面」ボタンをクリックする等して、メニュー画面を呼び出す。
ユーザがメニュー画面の呼び出し操作を行うと、受付部１１は、当該操作が行われた旨の情報を受け付け、表示制御部１２は、表示部１３にメニュー画面を表示させる。
メニュー画面には、監視グループの一覧が表示される。
そして、ユーザは、入力装置を操作し、表示部１３に表示されたメニュー画面から、オブジェクト情報を表示させたい監視グループを選択する。当該監視グループの選択が行われると、監視装置１は、以下に説明する、図４に示すような動作を行う。
ここでは、例えば、ユーザは、「Ａビル冷却塔の流量」を選択したものとして、以下説明する。
【００２６】
受付部１１のルート受付部１１１は、表示部１３にオブジェクト情報を表示させる監視グループの情報を受け付け、表示制御部１２に、受け付けた監視グループの情報を出力する（ステップＳＴ４０１）。ここでは、ルート受付部１１１は、「Ａビル冷却塔の流量」の情報を表示制御部１２に出力する。
【００２７】
表示制御部１２のルート画面表示制御部１２１は、ルート受付部１１１がステップＳＴ４０１において受け付けた監視グループの情報に基づき、表示部１３の第１の表示領域３０１に、該当の監視グループのルート画面を表示させる（ステップＳＴ４０２）。
また、表示制御部１２の関連情報表示制御部１２２は、ルート画面に対応付けられた関連情報を、第２の表示領域３０２にタブ化して表示させる（ステップＳＴ４０３）。
【００２８】
ここで、図５は、実施の形態１において、ルート画面表示制御部１２１が第１の表示領域３０１にルート画面を表示させ、関連情報表示制御部１２２が第２の表示領域３０２にルート画面に対応付けられた関連情報を表示させた画面の一例を示す図である。
図５に示すように、ルート画面表示制御部１２１は、表示部１３の第１の表示領域３０１に、「Ａビルの冷却塔の流量」のオブジェクト情報を示すグラフィック画面を表示させる。
具体的には、ルート画面表示制御部１２１は、記憶部１４の階層情報記憶部１４１を参照し、階層情報において、「Ａビルの冷却塔の流量」の下位に属する全てのオブジェクト情報を、第１の表示領域３０１に表示させる。ルート画面表示制御部１２１は、第１の表示領域に表示させるオブジェクト情報を、階層情報記憶部１４１に記憶された階層情報から特定する。
なお、実施の形態１では、ルート画面表示制御部１２１は、オブジェクト情報が監視ポイントの情報である場合は、監視ポイントデータの情報も、あわせてオブジェクト情報として第１の表示領域３０１に表示させるものとする。ルート画面表示制御部１２１は、監視ポイントデータの情報を、記憶部１４のデータ記憶部１４２から取得すればよい。この場合、ルート画面表示制御部１２１は、最新の監視ポイントデータを表示させるようにする。ただし、チャートで表示させる監視ポイントデータ等、複数の時点の監視ポイントデータを表示させる必要がある場合は、ルート画面表示制御部１２１は、該当の期間の監視ポイントデータを表示させるようにする。
【００２９】
また、ルート画面表示制御部１２１は、第１の表示領域３０１において、オブジェクト情報を、階層情報で定義された階層に応じて、上位の階層に属するオブジェクト情報の上に、下位の階層に属するオブジェクト情報を重ねて表示させる。具体的には、ルート画面表示制御部１２１は、監視ポイントＣ〜監視ポイントＥを示す情報（図５の５０２１〜５０２３参照）については、当該監視ポイントＣ〜監視ポイントＥを示す情報および当該監視ポイントＣ〜監視ポイントＥの監視ポイントデータが、当該監視ポイントＣ〜監視ポイントＥのチャート（図５の５０２参照）に重ねて表示されるようにする。
なお、図５では、監視ポイントＣ〜監視ポイントＥは、それぞれ、流量Ｃ〜流量Ｅを計測する流量計Ｃ〜Ｅとしている。
【００３０】
また、関連情報表示制御部１２２は、表示部１３の第２の表示領域３０２には、監視グループ「Ａビルの冷却塔の流量」に対応する関連情報として予め設定された関連情報を表示させる。
関連情報記憶部１４３には、各監視グループに対応する関連情報も記憶されており、ルート画面表示制御部１２１は、関連情報記憶部１４３から該当の関連情報を取得し、第２の表示領域３０２に表示させるようにする。
このとき、ルート画面表示制御部１２１は、関連情報を、タブを付与して表示させるようにする。ルート画面表示制御部１２１は、タブ上に、ルート画面における、監視グループ「Ａビルの冷却塔の流量」に対応する関連情報であることがわかる情報を表示させるようにする。実施の形態１では、一例として、ルート画面表示制御部１２１は、ルート画面における関連情報であることがわかる情報として、例えば、アイコンを表示させるようにしている（図５の５０１参照）が、これに限らず、ルート画面における関連情報であることがわかるようになっていればよい。
【００３１】
このように、ルート画面表示制御部１２１は、ユーザが監視作業を開始する場合において、ユーザによって監視グループの選択が行われた際に表示させる画面として、第１の表示領域３０１に、選択された監視グループの下位に属する全てのオブジェクト情報が表示された画面を表示させる。また、関連情報表示制御部１２２は、第２の表示領域３０２には、当該選択された監視グループに対応する関連情報が表示された画面が表示された画面を表示させる。
【００３２】
なお、図５では、第１の表示領域にオブジェクト情報を表示させる際に、「Ａビルの冷却塔」のイメージ図および施設名称（図５上の「Ｃｏｏｌｉｎｇ  Ｔｏｗｅｒ」）をあわせて表示されるようにしているが、当該イメージ図および施設名称を表示するよう、予め設定されているものとする。また、チャートは、第１の表示領域３０１の左下に表示されるようにしているが、これは一例に過ぎず、チャートを、第１の表示領域３０１のどの位置に、どの程度の大きさで表示させるかは、予め設定されているものとする。
【００３３】
また、図５では、チャートにおいて、所定期間の流量を示すようにしているが、当該所定期間は、例えば、処理日からみて過去１週間分等、予め設定されている。ルート画面表示制御部１２１は、予め設定された所定期間に応じたオブジェクト情報を表示させるようにする。
【００３４】
図４のフローチャートに戻る。
受付部１１のオブジェクト受付部１１２は、ステップＳＴ４０２においてルート画面の第１の表示領域に表示された複数のオブジェクト情報のうちから、１つのオブジェクト情報を受け付けたかどうかを判定する（ステップＳＴ４０４）。
ステップＳＴ４０２において、図５で示したようなルート画面が表示部１３に表示されると、ユーザは、当該ルート画面を確認し、入力装置を操作して、第１の表示領域に表示されたオブジェクト情報のうち、関連情報を表示させたいオブジェクト情報を選択する。
ステップＳＴ４０３において、オブジェクト受付部１１２は、ユーザによって選択されたオブジェクト情報を受け付けたかどうかを判定する。
【００３５】
ステップＳＴ４０４において、オブジェクト情報を受け付けていない場合（ステップＳＴ４０４の“ＮＯ”の場合）、ステップＳＴ４０４の処理を繰り返し、オブジェクト情報を受け付けるまで待機する。所定期間、オブジェクト情報を受け付けない場合は、処理終了するものとしてもよい。
【００３６】
ステップＳＴ４０４において、オブジェクト情報を受け付けた場合（ステップＳＴ４０４の“ＹＥＳ”の場合）、オブジェクト受付部１１２は、受け付けたオブジェクト情報を、表示制御部１２に出力する。
表示制御部１２の関連情報表示制御部１２２は、現在、表示部１３の第２の表示領域３０２に、階層情報において、ステップＳＴ４０４でオブジェクト受付部１１２から出力されたオブジェクト情報が属する階層とは別の階層に属するオブジェクト情報に対応付けられた関連情報が表示されているかどうかを判定する（ステップＳＴ４０５）。
ステップＳＴ４０５において、第２の表示領域３０２に、オブジェクト受付部１１２から出力されたオブジェクト情報が属する階層とは別の階層に属するオブジェクト情報に対応付けられた関連情報が表示されている場合（ステップＳＴ４０５の“ＹＥＳ”の場合）、ステップＳＴ４０６に進む。
ステップＳＴ４０４において、第２の表示領域３０２に、オブジェクト受付部１１２から出力されたオブジェクト情報が属する階層とは別の階層に属するオブジェクト情報に対応付けられた関連情報が表示されていない場合（ステップＳＴ４０５の“ＮＯ”の場合）、ステップＳＴ４０７に進む。
【００３７】
例えば、表示部１３に、図５に示すような画面が表示された状態から、ユーザは、チャート（図５の５０２参照）を選択したとすると、受付部１１は、チャートの情報を、表示制御部１２に出力する。
図５の第２の表示領域３０２には、チャートとは別の階層に属するオブジェクト情報は表示されていない。よって、ステップＳＴ４０７に進む。
【００３８】
ステップＳＴ４０７において、関連情報表示制御部１２２は、ステップＳＴ４０４においてオブジェクト受付部１１２から出力されたオブジェクト情報に関連付けられた関連情報を、第２の表示領域３０２に表示させる。この際、関連情報表示制御部１２２は、関連情報を、第２の表示領域３０２に、タブ化して表示させる（ステップＳＴ４０７）。具体的には、表示制御部１２は、第２の表示領域に３０２に、チャートに関連付けられた関連情報をタブ化して表示させる。すなわち、第２の表示領域３０２には、既に第２の表示領域３０２表示されている、「Ａビルの冷却塔の流量」に対応付けられた関連情報（図５参照）と、チャートに関連付けられた関連情報とが、並べてタブ化されて表示される。
関連情報表示制御部１２２は、第１の表示領域３０１に表示された情報は、変更しない。すなわち、第１の表示領域３０１には、ステップＳＴ４０２においてルート画面表示制御部１２１が表示させたオブジェクト情報が表示される。
【００３９】
図６は、実施の形態１において、図４のステップＳＴ４０６で関連情報表示制御部１２２が表示部１３に表示させる画面の一例を示す図である。
図６に示すように、第２の表示領域３０２には、「Ａビルの冷却塔の流量」に対応付けられた関連情報と、チャートに関連付けられた関連情報とが、タブ化されて表示される。
関連情報表示制御部１２２は、ステップＳＴ４０３における動作と同様、タブに、当該タブはどの関連情報に付されたものかがわかる情報を付与して表示させるようにする。図６では、一例として、関連情報表示制御部１２２は、タブにアイコンを付与して表示させるものとしている（図６の６０１参照）。なお、タブに付与される情報は、当該情報をユーザが見て、どのオブジェクト情報に対応付けられた関連情報を示すものであるかがわかるものとなっていればよい。
【００４０】
その後、ステップＳＴ４０４に戻り、以降の処理を繰り返す。
例えば、図６に示すような画面から、ユーザが、さらに、チャート（図６の５０２参照）で表示されている監視ポイントＤ（図６の５０２２参照）を選択したとすると、オブジェクト受付部１１２は、当該監視ポイントＤの情報を受け付け（ステップＳＴ４０４の“ＹＥＳ”の場合）、監視ポイントＤの情報を、表示制御部１２に出力する。
【００４１】
図６の第２の表示領域３０２には、監視ポイントＤと別の階層に属するオブジェクト情報は表示されていないので（ステップＳＴ４０５の“ＮＯ”の場合）、関連情報表示制御部１２２は、ステップＳＴ４０４においてオブジェクト受付部１１２から出力された監視ポイントＤに関連付けられた関連情報を、第２の表示領域３０２に表示させる。この際、関連情報表示制御部１２２は、関連情報を、第２の表示領域３０２に、タブ化して表示させる（ステップＳＴ４０７）。
【００４２】
ここで、図７は、実施の形態１において、表示部１３の画面が図６に示すような画面である状態から、さらにオブジェクト情報を受け付けた場合に、表示部１３に表示される画面の一例を示す図である。
図７は、図６に示すような画面から、さらに、オブジェクト情報として、監視ポイントＤが選択された場合の画面例を示している。
図７に示すように、第２の表示領域３０２には、「Ａビルの冷却塔の流量」に対応付けられた関連情報と、チャートに関連付けられた関連情報と、監視ポイントＤに関連付けられた関連情報とが、タブ化されて表示される。
【００４３】
このとき、関連情報表示制御部１２２は、関連情報を、オブジェクト情報が属する階層の上位から順にタブ化する。具体的には、例えば、関連情報表示制御部１２２は、下位の階層に属するオブジェクト情報に対応付けられた関連情報が、上位の階層に属するオブジェクト情報に対応付けられた関連情報よりも右側に表示されるようにタブ化する。
すなわち、ここでは、図７に示すように、表示制御部１２は、監視ポイントＤに関連付けられた関連情報を、チャートに関連付けられた関連情報よりも右側に表示されるようにタブ化して表示させる。
関連情報が、階層順に並べて表示されることにより、ユーザは、第２の表示領域３０２上で、階層の構造を直感的に把握することができる。また、ユーザは、通常、階層の上位から下位に向かって関連情報を表示させて、監視作業を行う。ユーザが行う監視作業の順番に、関連情報が表示されることで、ユーザは、監視作業をスムーズに行うことができる。
なお、これは、上述の、「Ａビルの冷却塔の流量」に対応付けられた関連情報と、チャートに関連付けられた関連情報とが、並べて表示させる際も同様である。関連情報表示制御部１２２は、チャートに関連付けられた関連情報が、階層の上位である「Ａビルの冷却塔の流量」に対応付けられた関連情報よりも右側に表示されるようにタブ化して表示させる（図６参照）。
【００４４】
関連情報表示制御部１２２は、監視ポイントＤに関連付けられた関連情報のタブ上には、監視ポイントＤに関連付けられた関連情報であることがわかるアイコンを表示させる（図７の７０１参照）。
【００４５】
その後、ステップＳＴ４０４に戻る。
ステップＳＴ４０４に戻り、表示部１３には図７に示すような画面が表示された状態から、例えば、ユーザが、監視ポイントＡを選択したとすると、オブジェクト受付部１１２は、当該監視ポイントＡの情報を受け付け（ステップＳＴ４０４の“ＹＥＳ”の場合）、監視ポイントＡの情報を、表示制御部１２に出力する。
図７の第２の表示領域３０２には、監視ポイントＡと別の階層に属するオブジェクト情報である、チャートおよび監視ポイントＤに関連付けられた関連情報が表示されているので（ステップＳＴ４０５の“ＹＥＳ”の場合）、ステップＳＴ４０６に進む。
ステップＳＴ４０６では、関連情報表示制御部１２２は、ステップＳＴ４０４においてオブジェクト受付部１１２から出力された監視ポイントＡとは別の階層に属する、チャートおよび監視ポイントＤに関連付けられた関連情報を、削除する（ステップＳＴ４０６）。その上で、表示制御部１２は、監視ポイントＡに関連付けられた関連情報を、第２の表示領域３０２にタブ化して表示させる（ステップＳＴ４０７）。
【００４６】
なお、以上の説明では、ステップＳＴ４０７において、関連情報表示制御部１２２が、第２の表示領域３０２に関連情報を表示させた後、ステップＳＴ４０４に戻り、オブジェクト受付部１１２が、ユーザが選択したオブジェクト情報を受け付け、以降の処理を繰り返すものとしたが、これに限らず、例えば、ユーザが、処理を終了させる旨の指示を入力した場合は、受付部１１は、当該終了指示を受け付け、処理終了する。
【００４７】
また、例えば、ユーザは、表示部１３に表示させる監視グループを変更することもできる。この場合、ユーザは、入力装置を操作して、メニュー画面の表示指示を入力する。受付部１１は、当該メニュー画面の表示指示を受け付けると、表示制御部１２に対して当該メニュー画面の表示指示を受け付けた旨の情報を出力する。これを受け、表示制御部１２は、表示部１３にメニュー画面を表示させるようにする。その後、ユーザから指示された監視グループに応じて、上述したステップＳＴ４０１以降の処理を繰り返す。
【００４８】
このように、実施の形態１の監視装置１では、表示部１３上の第１の表示領域３０１に表示された、階層を構成する複数のオブジェクト情報について、選択されたオブジェクト情報に対応付けられた関連情報を当該表示部１３上の第２の表示領域３０２に表示させる際、同一階層に属する複数のオブジェクト情報に対応付けられた関連情報を、一度に並べて表示させることができる。また、関連情報はタブ化して表示される。
これにより、ユーザは、タブを操作することで、第２の表示領域３０２に表示される、同一階層に属する複数のオブジェクト情報に対応付けられた複数の関連情報の切り替えを行いながら、監視作業を行うことができ、作業効率が向上する。
【００４９】
以上の実施の形態１では、階層情報は、第２階層までを有する階層構造としたが、これは一例に過ぎず、階層情報は、第３階層以上を有する階層構造としてもよい。
また、以上の実施の形態１では、表示部１３は、第１の表示領域３０１と第２の表示領域３０２の２つの表示領域を有するものとしたが、これは一例に過ぎず、表示部１３は、３つ以上の表示領域を有するものであってもよく、複数の表示領域を有していればよい。
【００５０】
以上の実施の形態１では、監視装置１において、画面表示部１０を備え、オブジェクト情報とは監視ポイントに関する情報として、複数の表示領域に、監視ポイントに関する情報、および、当該監視ポイントに関する情報に対応付けられた関連情報を表示させるものとした。
しかし、これに限らず、オブジェクト情報はあらゆる表示コンテンツとすることができ、画面表示部１０の機能を、２つ以上の表示領域を有する表示部に対して、２つ以上の表示コンテンツを連携して表示させる用途で用いられるあらゆる装置、システム、または、プログラムに対して、適用させることが可能である。
【００５１】
以上のように、実施の形態１によれば、監視装置１は、複数の表示領域を有する画面において第１の表示領域３０１に表示される、階層を構成する複数のオブジェクト情報のうちから、選択された第１のオブジェクト情報を受け付けるオブジェクト受付部１１２と、オブジェクト受付部１１２が受け付けた第１のオブジェクト情報に対応付けられた関連情報を画面における第２の表示領域３０２に表示させ、オブジェクト受付部１１２が、当該第２の表示領域３０２に関連情報を表示させている第１のオブジェクト情報と同一階層に属する第２のオブジェクト情報を受け付けた場合、当該第１のオブジェクト情報に対応付けられた関連情報と当該第２のオブジェクト情報に対応付けられた関連情報とを、当該第２の表示領域３０２に並べてタブ化して表示させる関連情報表示制御部１２２とを備えるように構成した。そのため、画面上の第１の表示領域３０１に表示された、階層を構成する複数のオブジェクト情報について、選択されたオブジェクト情報の関連情報を当該画面上の第２の表示領域３０２に表示させるとともに、当該第２の表示領域３０２において、当該選択されたオブジェクト情報と同一階層に属する他のオブジェクト情報の関連情報との表示の切り替えを可能とする。
【００５２】
なお、本願発明はその発明の範囲内において、実施の形態の任意の構成要素の変形、もしくは実施の形態の任意の構成要素の省略が可能である。
【符号の説明】
【００５３】
１  監視装置
１０  画面表示部
１１  受付部
１２  表示制御部
１３  表示部
１４  記憶部
１１１  ルート受付部
１１２  オブジェクト受付部
１２１  ルート画面表示制御部
１２２  関連情報表示制御部
１４１  階層情報記憶部
１４２  データ記憶部
１４３  関連情報記憶部
【図１】
2019016211.tif 000003
【図２】
2019016211.tif 000004
【図３】
2019016211.tif 000005
【図４】
2019016211.tif 000006
【図５】
2019016211.tif 000007
【図６】
2019016211.tif 000008
【図７】
2019016211.tif 000009